(57)【特許請求の範囲】
【請求項１】
励磁コイルにより形成される磁界の磁束により発熱する電磁誘導発熱層を有する定着回転体とこれに定着位置で圧接される加圧部材との間をシートが通過する際に、当該シート上の画像を熱定着する定着装置であって、
前記励磁コイルの、前記定着回転体の軸方向端部側に位置するコイル部分に臨設される消磁コイルと、
前記消磁コイルの開閉を切り替えるスイッチ素子と、
前記定着回転体の、前記消磁コイルに対応する領域の温度を検出する検出部と、
１枚ずつ間隔をおいて定着位置を通過する複数枚のシートに対する熱定着の実行中に、前記検出温度が所定の第１温度以上になった以降に、前記励磁コイルへの供給電力を熱定着時より低減してから、前記スイッチ素子により前記消磁コイルを開から閉に切り替えた後、供給電力を元に戻す第１制御を実行する制御部と、を備え、
前記制御部は、
前記第１制御を、前記励磁コイルへの供給電力が低減する間に発熱量が低下する前記定着回転体の温度低下領域が前記定着位置をｎ枚目のシートより後かつ（ｎ＋１）枚目のシートより前に通過するようになるタイミングで実行するとともに、
前記消磁コイルが閉にされた後、前記検出温度が前記第１温度よりも低い所定の第２温度以下になると、前記励磁コイルへの供給電力を熱定着時より低減してから、前記スイッチ素子により前記消磁コイルを開に切り替え、供給電力を元に戻す第２制御を実行し、
当該第２制御を、当該第２制御により発熱量が低下する前記定着回転体の温度低下領域が前記定着位置をｍ枚目のシートより後かつ（ｍ＋１）枚目のシートより前に通過するようになるタイミングで実行し、
定着すべきシートごとに、幅方向長さに関する情報を取得する取得部と、異なる幅方向長さごとに、前記第２温度として異なる温度を対応付けてなる温度情報を記憶している記憶部と、を備え、前記温度情報を参照して前記取得された幅方向長さに対応する温度を前記第２温度に用い、
前記温度情報には、幅方向長さが第１の長さに温度Ｔ１が対応付けされた情報と、前記第１の長さよりも長い第２の長さに前記温度Ｔ１よりも高い温度Ｔ２が対応付けされた情報とが含まれ、
前記第２温度として用いる温度に対し、前記検出部による検出温度の低下率に基づき上げる方向に補正をかけることを特徴とする定着装置。
【請求項２】
前記記憶部はさらに、異なる幅方向長さごとに、前記第１温度として異なる温度を対応付けてなる温度情報を記憶しており、
前記制御部はさらに、
前記第１温度として異なる温度を対応付けてなる前記温度情報を参照し、前記取得された幅方向長さに対応する温度を前記第１温度に用いることを特徴とする請求項１に記載の定着装置。
【請求項３】
前記第１温度として異なる温度を対応付けてなる前記温度情報には、
幅方向長さが第１の長さに、温度Ｔ３が対応付けされた情報と、前記第１の長さよりも長い第２の長さに、前記温度Ｔ３よりも低い温度Ｔ４が対応付けされた情報とが含まれることを特徴とする請求項２に記載の定着装置。
【請求項４】
前記制御部は、
前記第１温度として用いる温度に対し、前記検出部による検出温度の上昇率に基づき下げる方向に補正をかけることを特徴とする請求項３に記載の定着装置。
【請求項５】
前記励磁コイルへの供給電力の低減は、
前記励磁コイルへの電力供給を停止することであることを特徴とする請求項１〜４のいずれか１項に記載の定着装置。
【請求項６】
シート上に形成された画像を定着部により熱定着する画像形成装置であって、
前記定着部として、請求項１〜５のいずれか１項に記載の定着装置を備えることを特徴とする画像形成装置。
【発明の詳細な説明】
【技術分野】
【０００１】
本発明は、電磁誘導加熱方式の定着装置およびこれを備える画像形成装置に関する。
【背景技術】
【０００２】
プリンター等の画像形成装置に備えられる定着装置は、定着ローラーなどの定着回転体とこれの定着位置で加圧ローラーなどの加圧回転体を圧接して両回転体間に定着ニップを確保しつつ、定着回転体を熱源により加熱して、トナー像が形成されたシートが定着位置を通過する際に、トナー像を加熱して当該シートに熱定着させる。
定着装置の熱源には、従来、ハロゲンヒータが多く採用されてきたが、近年、ハロゲンヒータよりも省エネルギー化を図れる電磁誘導加熱方式のものが注目されている。
【０００３】
電磁誘導加熱方式の定着装置として、特許文献１には、電磁誘導発熱層を有する定着ローラーと、これに定着位置で圧接される加圧ローラーと、定着ローラーの周面と所定距離だけ離れた位置にその軸方向に沿って延設され、定着ローラーの電磁誘導発熱層を発熱させるための磁界を発生させる励磁コイルと、定着ローラーの軸方向両端部に対応する位置に、励磁コイルに重なるように配された消磁コイルとを備えた装置が開示されている。
【０００４】
消磁コイルは、小サイズ紙が使用される場合に、励磁コイルから発せられる磁束を打ち消す方向の磁界を発生させて、定着位置における当該小サイズ紙が通過しない非通紙領域に相当する発熱層の部分の発熱を抑制して、非通紙領域の過昇温を防止する。
消磁コイルによる、励磁コイルから発せられる磁束を打ち消す動作は、スイッチ素子を用いて消磁コイルを開状態から閉（短絡）状態に切り替えることにより実行される。
【先行技術文献】
【特許文献】
【０００５】
【特許文献１】特開２００５−１０８６０３号公報
【発明の概要】
【発明が解決しようとする課題】
【０００６】
上記のスイッチ素子による消磁コイルの開から閉への切り替えを励磁コイルに電力を供給している状態で行うと、消磁コイルの短絡時に、瞬時に消磁コイルに流れる誘導電流によりスイッチ素子の接点などに電気的負荷がかかり、このことが消磁コイルの開から閉への切り替え毎に繰り返されると、スイッチ素子の耐久性が低下することが生じ易くなる。
このようなスイッチ素子の耐久性の低下を防止する方法として、励磁コイルへの電力供給を一旦停止して、スイッチ素子による消磁コイルの開から閉への切り替えを行った後、励磁コイルへの電力供給を再開する方法が考えられる。
【０００７】
しかしながら、この方法をとると、複数枚のシートを１枚ずつ間隔をおいて定着位置を通過させて熱定着を行う連続通紙のジョブ実行中に、励磁コイルへの電力供給の一旦停止により定着ローラーの発熱が中断されてしまい、発熱の中断により温度が低下した定着ローラーでは、定着位置を通過するシートに対して熱定着に必要な熱を付与することができず、定着性が低下し易くなるという問題がある。
【０００８】
本発明は、上記の問題点に鑑みてなされたものであって、定着回転体の過昇温の防止と共に、スイッチ素子の耐久性の低下と定着性の低下とを防止することが可能な電磁誘導加熱方式の定着装置およびこれを備える画像形成装置を提供することを目的としている。
【課題を解決するための手段】
【０００９】
上記目的を達成するため、本発明に係る定着装置は、励磁コイルにより形成される磁界の磁束により発熱する電磁誘導発熱層を有する定着回転体とこれに定着位置で圧接される加圧部材との間をシートが通過する際に、当該シート上の画像を熱定着する定着装置であって、前記励磁コイルの、前記定着回転体の軸方向端部側に位置するコイル部分に臨設される消磁コイルと、前記消磁コイルの開閉を切り替えるスイッチ素子と、前記定着回転体の、前記消磁コイルに対応する領域の温度を検出する検出部と、１枚ずつ間隔をおいて定着位置を通過する複数枚のシートに対する熱定着の実行中に、前記検出温度が所定の第１温度以上になった以降に、前記励磁コイルへの供給電力を熱定着時より低減してから、前記スイッチ素子により前記消磁コイルを開から閉に切り替えた後、供給電力を元に戻す第１制御を実行する制御部と、を備え、前記制御部は、前記第１制御を、前記励磁コイルへの供給電力が低減する間に発熱量が低下する前記定着回転体の温度低下領域が前記定着位置をｎ枚目のシートより後かつ（ｎ＋１）枚目のシートより前に通過するようになるタイミングで実行するとともに、前記消磁コイルが閉にされた後、前記検出温度が前記第１温度よりも低い所定の第２温度以下になると、前記励磁コイルへの供給電力を熱定着時より低減してから、前記スイッチ素子により前記消磁コイルを開に切り替え、供給電力を元に戻す第２制御を実行し、当該第２制御を、当該第２制御により発熱量が低下する前記定着回転体の温度低下領域が前記定着位置をｍ枚目のシートより後かつ（ｍ＋１）枚目のシートより前に通過するようになるタイミングで実行し、定着すべきシートごとに、幅方向長さに関する情報を取得する取得部と、異なる幅方向長さごとに、前記第２温度として異なる温度を対応付けてなる温度情報を記憶している記憶部と、を備え、前記温度情報を参照して前記取得された幅方向長さに対応する温度を前記第２温度に用い、前記温度情報には、幅方向長さが第１の長さに温度Ｔ１が対応付けされた情報と、前記第１の長さよりも長い第２の長さに前記温度Ｔ１よりも高い温度Ｔ２が対応付けされた情報とが含まれ、前記第２温度として用いる温度に対し、前記検出部による検出温度の低下率に基づき上げる方向に補正をかけることを特徴とする。
【００１０】
ここで、上記の「前記励磁コイルへの供給電力を熱定着時より低減」とは、前記励磁コイルへの電力供給の停止（遮断）を含む概念で用いられる。
【００１１】
さらに、前記記憶部はさらに、異なる幅方向長さごとに、前記第１温度として異なる温度を対応付けてなる温度情報を記憶しており、前記制御部はさらに、前記第１温度として異なる温度を対応付けてなる前記温度情報を参照し、前記取得された幅方向長さに対応する温度を前記第１温度に用いるとしても良い。
ここで、前記第１温度として異なる温度を対応付けてなる前記温度情報には、幅方向長さが第１の長さに、温度Ｔ３が対応付けされた情報と、前記第１の長さよりも長い第２の長さに、前記温度Ｔ３よりも低い温度Ｔ４が対応付けされた情報とが含まれるとしても良い。
【００１２】
ここで、前記制御部は、前記第１温度として用いる温度に対し、前記検出部による検出温度の上昇率に基づき下げる方向に補正をかけるとしても良い。
【００１４】
また、前記励磁コイルへの供給電力の低減は、前記励磁コイルへの電力供給を停止することであるとしても良い。
本発明に係る画像形成装置は、シート上に形成された画像を定着部により熱定着する画像形成装置であって、前記定着部として、上記の定着装置を備えることを特徴とする。
【発明の効果】
【００１５】
このようにすれば、消磁コイルの消磁により定着回転体の過昇温を防止すると共に、励磁コイルへの電力供給を一旦停止してからスイッチ素子による消磁コイルの切り替えを行うことによりスイッチ素子の耐久性の低下を防止しつつ、シートが定着位置を通過している間に、同時に、定着回転体の温度低下領域が定着位置を通過することがなくなり、定着性の低下を防止することが可能になる。
【図面の簡単な説明】
【００１６】
【図１】実施の形態に係るプリンターの全体の構成を示す図である。
【図２】プリンターに配される定着部の構成を示す斜視図である。
【図３】定着部の概略平面図である。
【図４】定着部の構成を示す横断面図である。
【図５】消磁コイルと定着ニップを通過する用紙との位置関係を説明するための模式図である。
【図６】制御部の構成を示すブロック図である。
【図７】定着制御部とＩＨ電源部の構成を示すブロック図である。
【図８】消磁動作温度情報設定テーブルの例を示す図である。
【図９】（ａ）は、本実施の形態における定着温調の制御方法を用いる場合の実施例を示すタイミングチャートであり、（ｂ）は、これを用いない場合の比較例を示すタイミングチャートである。
【図１０】励磁コイルと消磁コイルのオン、オフのタイミングを説明するための模式図である。
【図１１】（ａ）は、Ａ４サイズの用紙を縦通紙する場合の定着ローラーの軸方向における表面温度の分布を示す図であり、（ｂ）は、Ｂ４サイズの用紙を縦通紙する場合の定着ローラーの表面温度の分布を示す図である。
【図１２】定着温調制御の処理内容を示すフローチャートである。
【図１３】切替制御１のサブルーチンの内容を示すフローチャートである。
【図１４】ジョブ実行中に上昇するローラー端部温度の推移の様子を例示するタイミングチャートである。
【図１５】切替制御２のサブルーチンの内容を示すフローチャートである。
【発明を実施するための形態】
【００１７】
以下、本発明に係る定着装置および画像形成装置の実施の形態を、タンデム型カラープリンター（以下、単に「プリンター」という。）を例にして説明する。
（１）プリンター１の全体構成
図１は、プリンター１の全体の構成を示す図である。
同図に示すように、プリンター１は、周知の電子写真方式により画像を形成するものであり、画像プロセス部１０と、中間転写部２０と、給送部３０と、定着部４０および制御部５０を備え、ネットワーク（例えばＬＡＮ）に接続されて、外部の端末装置（不図示）からの印刷（プリント）ジョブの実行指示を受け付けると、その指示に基づいてイエロー（Ｙ）、マゼンタ（Ｍ）、シアン（Ｃ）およびブラック（Ｋ）色からなるカラーの画像形成を実行する。
【００１８】
画像プロセス部１０は、Ｙ〜Ｋ色のそれぞれに対応する作像部１０Ｙ〜１０Ｋを備えている。作像部１０Ｙは、矢印で示す方向に回転する感光体ドラム１１と、その周囲に配設された帯電部１２、露光部１３、現像部１４、一次転写ローラー１５、感光体ドラム１１の表面を清掃するためのクリーナー１６などを備えており、公知の帯電、露光、現像工程を経て感光体ドラム１１上にＹ色のトナー像を作像する。この構成は、他の作像部１０Ｍ〜１０Ｋについて同様であり、同図では符号が省略されているが、対応する色のトナー像が感光体ドラム１１上に作像される。
【００１９】
中間転写部２０は、駆動ローラーと従動ローラーに張架されて矢印方向に循環走行される中間転写ベルト２１を備える。
カラーのプリントを実行する場合には、作像部１０Ｍ〜１０Ｋ毎に、対応する色のトナーが感光体ドラム１１上に作像され、その作像されたトナー像それぞれが中間転写ベルト２１上に一次転写される。このＹ〜Ｋの各色の作像動作は、各色のトナー像が、走行する中間転写ベルト２１の同じ位置に重ね合わせて一次転写されるように上流側から下流側に向けてタイミングをずらして実行される。
【００２０】
給送部３０は、給紙カセット３１からシート、ここでは用紙Ｓを１枚ずつ搬送路３２上に繰り出して、繰り出された用紙Ｓを二次転写ローラー２２に送る。給紙カセット３１には、使用される用紙Ｓとして、例えばＢ５〜Ａ３サイズの用紙が収容可能である。本実施の形態では、用紙Ｓが搬送路３２上の搬送路幅方向中央の位置を基準に搬送される、いわゆるセンター基準の搬送方式になっている。
【００２１】
２次転写ローラー２２に送られた用紙Ｓが二次転写ローラー２２と中間転写ベルト２１の間を通過する際に、中間転写ベルト２１の上に多重転写された各色トナー像が２次転写ローラー２２の静電作用により用紙Ｓに一括して二次転写される。
各色トナー像が二次転写された後の用紙Ｓは、定着部４０まで搬送される。
定着部４０は、電磁誘導加熱（ＩＨ）方式によるものであり、搬送されて来る用紙Ｓを加熱、加圧して、用紙Ｓ上の各色トナー像を用紙Ｓに定着させる。定着後の用紙Ｓは、排出ローラー対３３を介して排出トレイ３４上に排出される。
【００２２】
制御部５０は、ネットワークを介して外部の端末装置から受け付けたプリントジョブのデータに基づき各部を制御してプリント動作を実行させる。
プリンター１の本体の正面側の、ユーザーの操作し易い位置には、操作部６０が配置されている。操作部６０は、給紙カセット３１に収容されている用紙Ｓのサイズ（Ａ４やＢ４など）のユーザーからの設定入力などを受け付けるキーやタッチパネル式の液晶表示部などを備えている。受け付けた用紙サイズの情報などは、制御部５０に送られる。
【００２３】
なお、搬送路３２の近辺であり、定着部４０よりも用紙搬送方向上流側の直近の位置には、搬送される用紙Ｓを検出するための用紙検出センサー３９が配置されている。用紙検出センサー３９による用紙Ｓの検出信号は、制御部５０に送られる。
（２）定着部４０の構成
図２は、定着部４０の構成を示す斜視図であり、図３は、定着部４０の概略平面図であり、図４は、図３のＤ−Ｄ線における定着部４０の矢視横断面図である。なお、図２では、構成を判り易くするために一部を切り欠いて示している。また、図３は、図２に示すカバー１３９を取り外した状態になっている。
【００２４】
図２〜図４に示すように、定着部４０は、主な構成要素として、定着ローラー１０１と、加圧ローラー１０２と、磁束発生部１０３と、中央部温度センサー１０４と、端部温度センサー１０５およびＩＨ電源部１０６（図７）を備える。
定着ローラー１０１は、外径が約３５〔ｍｍ〕であり、芯金１１１（図４（ａ））の周囲に断熱層１１２が形成されてなるローラー本体１１０と、ローラー本体１１０の外周に嵌め込まれたスリーブ１１３とから構成される。
【００２５】
芯金１１１は、例えばステンレスなどからなる円柱状の軸状部材である。断熱層１１２は、断熱性の高い弾性材料、例えばゴム材や樹脂材のスポンジ体が用いられている。
スリーブ１１３は、図４（ｂ）に示すように、断熱層１１２側から電磁誘導発熱層（以下、「発熱層」という。）１１５、弾性層１１６、離型層１１７の順に積層されてなる。
発熱層１１５は、厚みが約０．２〔ｍｍ〕であり、ニッケルまたはステンレスからなる層が銅からなる層の両側を挟むようにしてなる３層構造になっており、磁束発生部１０３から発せられる磁束により発熱する。なお、発熱層１１５の材料は、電磁誘導発熱するものであれば上記のものに限られず、例えばニッケル単層などとすることもできる。
【００２６】
弾性層１１６は、耐熱性を有するシリコンゴムなどからなる弾性部材であり、用紙Ｓと定着ローラー１０１の表面との密着性を高める役割を果たし、最外層の離型層１１７は、ＰＦＡ（テトラフルオロエチレン・パーフルオロアルキルビニルエーテル共重合体）などからなり、定着ローラー１０１の表面の離型性を高める役割を果たしている。
定着ローラー１０１の軸方向（用紙Ｓの幅方向に相当）長さは、最大サイズ、例えばＡ３サイズの用紙が縦方向（用紙の長辺が用紙搬送方向に平行な方向に搬送されるときの用紙の向き）に通紙された場合における用紙の幅方向長さよりも長くなっている。以下、用紙を縦方向に搬送することを縦通紙という。図２では、最小サイズのＢ５サイズの用紙が縦通紙されている様子を示している。
【００２７】
加圧ローラー１０２は、長尺で円柱状の芯金１２１の周囲に、弾性層１２２を介して離型層１２３が積層されてなり、図示しないバネなどを含む押圧手段により定着ローラー１０１に押圧され、定着ローラー１０１との間に定着ニップＮを確保する。
芯金１２１は、アルミニウム等からなり、弾性層１２２は、シリコンスポンジゴム等からなり、離型層１２３は、ＰＦＡやＰＴＦＥ（ポリテトラフルオロエチレン）コート等からなる。
【００２８】
定着ローラー１０１と加圧ローラー１０２は、芯金１１１、１２１の軸方向両端部が図示しないフレームに軸受部材などを介して回転自在に支持されると共に、加圧ローラー１０２は、駆動モータ（不図示）からの駆動力により矢印Ｂ方向に回転駆動される。この加圧ローラー１０２の回転に伴って、定着ローラー１０１が矢印Ａ方向に従動回転する。
磁束発生部１０３は、励磁コイル１３１と、メインコア１３２と、裾コア１３３と、消磁コイル１３６ａ、１３６ｂと、コイルボビン１３８およびカバー１３９を有し、定着ローラー１０１の軸方向に沿うように延設される。
【００２９】
コイルボビン１３８は、定着ローラー１０１の軸方向に沿って伸びる長尺状の部材であり、定着ローラー１０１の表面に対向する面が定着ローラー１０１の周方向に沿って円弧状に湾曲すると共に、定着ローラー１０１の周面との間に所定の間隔、例えば３〔ｍｍ〕の間隔が開くように、その長手方向両端部が図示しないフレームなどに固定されている。
励磁コイル１３１、メインコア１３２、裾コア１３３、消磁コイル１３６ａ、１３６ｂは、コイルボビン１３８の、定着ローラー１０１側とは反対側の面に配置される。
【００３０】
励磁コイル１３１は、用紙幅方向に沿って長く伸びると共に横断面が円弧状の形状になるようにコイルボビン１３８に、表面に融着層と絶縁層を有する銅線が複数回、巻き回して構成されている。励磁コイル１３１の長手方向長さは、定着ローラー１０１の軸方向長さよりもやや長くなっている。励磁コイル１３１は、公知の高周波インバータを含むＩＨ電源部１０６に接続され、ＩＨ電源部１０６からの交流電力の供給により、定着ローラー１０１の発熱層１１５を発熱させるための磁界を形成する。これにより、励磁コイル１３１から磁束が発せられる。
【００３１】
メインコア１３２、裾コア１３３は、高透磁率のフェライトなどからなり、励磁コイル１３１からの磁束を定着ローラー１０１に導く。定着ローラー１０１に導かれた磁束は、定着ローラー１０１の発熱層１１５の、主に磁束発生部１０３に対向する部分（発熱領域）Ｑ（図４（ａ））を貫き、この発熱領域Ｑに渦電流を発生させて発熱させる。
この発熱量が、定着ローラー１０１の軸方向にどの位置でも略均一になるように、励磁コイル１３１、メインコア１３２や裾コア１３３の大きさ、形状等が設定されている。
【００３２】
発熱層１１５の発熱領域Ｑの熱が定着ローラー１０１の回転により定着ニップ（定着位置）Ｎで加圧ローラー１０２に伝わることにより定着ニップＮの温度が昇温される。
消磁コイル１３６ａ、１３６ｂは、励磁コイル１３１の、定着ローラー１０１の両端部に対応するコイル部分に重ねられるようにして配置されている。
消磁コイル１３６ａ、１３６ｂは、ＩＨ電源部１０６により開放から短絡状態に切り替えられることにより、励磁コイル１３１から発せられている磁束の一部を打ち消す方向の磁界を発生させて、定着ローラー１０１の発熱層１１５のうち、消磁コイル１３６ａ、１３６ｂに対応する部分の発熱を抑制させる。
【００３３】
図５は、消磁コイル１３６ａ、１３６ｂと定着ニップＮを通過する用紙Ｓとの位置関係を説明するための模式図である。ここで、同図に示す一点鎖線ＣＬは、定着ローラー１０１の軸方向における用紙Ｓの中央の位置（搬送路３２の幅方向中央の位置に相当）を示すものである。
同図に示すように、消磁コイル１３６ａ、１３６ｂは、縦通紙されるＡ４サイズの用紙Ｓが定着ニップＮを通過する領域（Ａ４Ｔ幅）よりも少し幅広の領域Ｇａを挟んで両外側の領域Ｇｂ，Ｇｂに対応する位置に配されている。本実施の形態では、消磁コイル１３６ａ、１３６ｂにより定着ローラー１０１の発熱層１１５の領域Ｇｂ，Ｇｂに相当する部分の発熱が抑制される。以下、消磁コイル１３６ａ、１３６ｂを区別して説明する必要がない場合には、消磁コイル１３６と総称し、励磁コイル１３１から発せられる磁束を打ち消すことを消磁という。
【００３４】
消磁コイル１３６による消磁は、消磁コイル１３６が閉（短絡）状態にされているときに作用し、開（切断）されているときには、作用しない。また、消磁作用が及ぶ領域Ｇｂは、用紙サイズに関わらず一定である。
中央部温度センサー１０４は、不図示のフレームに取着され、定着ローラー１０１の軸方向中央部における表面温度（定着ローラー中央温度）を検出する。この中央部は、搬送路３２上における幅方向略中央の位置に相当する。本実施の形態では、上記のようにセンター基準の搬送方式なので、当該中央部は、どのサイズの用紙Ｓが使用される場合でもその用紙Ｓの幅方向中央の位置に一致し、通紙領域内に位置することになる。
【００３５】
端部温度センサー１０５は、不図示のフレームに取着され、定着ローラー１０１の軸方向一方端の部分における表面温度（定着ローラー端部温度）を検出する。この一方端の部分とは、どのサイズの用紙が使用される場合でも用紙の通過領域から外れている領域内のある部分を示している。各温度センサーによる検出信号は、制御部５０に送られる。
制御部５０の定着制御部５５（図６参照）は、各温度センサーからの検出信号により現在のローラー温度を検出する。本実施の形態では、中央部温度センサー１０４の検出信号に基づき定着ローラー中央温度が定着温度Ｔ０（定着に必要な温度：例えば１８０〔℃〕）に維持されるように励磁コイル１３１への電力供給を制御する（プリント温調制御）。
【００３６】
定着ローラー中央温度が定着温度Ｔ０に維持された状態で用紙Ｓが定着ニップＮを通過する際に、用紙Ｓ上の未定着のトナー像が加熱、加圧されて当該用紙Ｓ上に熱定着される。この意味で、定着ニップＮは、用紙Ｓのトナー像を定着する定着位置になる。
また、端部温度センサー１０５の検出信号に基づき、消磁コイル１３６ａ、１３６ｂによる消磁動作の開始と停止を制御する。この制御については、後述する。
【００３７】
（３）制御部５０の構成
図６は、制御部５０の構成を示すブロック図である。
同図に示すように制御部５０は、主な構成要素として通信インターフェース（Ｉ／Ｆ）部５１と、ＣＰＵ５２と、ＲＯＭ５３と、ＣＰＵ５２のワークエリアとなるＲＡＭ５４および定着制御部５５を備え、相互に信号をやりとりできるようになっている。
【００３８】
通信Ｉ／Ｆ部５１は、ＬＡＮカード、ＬＡＮボードといったＬＡＮに接続するためのインターフェースである。
ＣＰＵ５２は、ＲＯＭ５３から必要なプログラムを読み出して、画像プロセス部１０、中間転写部２０、給送部３０などの動作をタイミングを取りながら統一的に制御して円滑なプリント動作を実行させる。また、操作部６０からの信号を参照して、例えばユーザーにより入力された用紙サイズの情報から使用される用紙Ｓのサイズを判断する。
【００３９】
定着制御部５５は、定着部４０の励磁コイル１３１への電力の供給と停止、消磁コイル１３６による消磁動作の開始（短絡）と停止（開放）を切り替える制御を行う。
（４）定着制御部５５とＩＨ電源部１０６の構成
図７は、定着制御部５５とＩＨ電源部１０６の構成を示すブロック図である。
同図に示すように、定着制御部５５は、励磁コイル制御部９１と、消磁コイル制御部９２と、温度設定テーブル９３および端部温度情報記憶部９４を有する。
【００４０】
一方、ＩＨ電源部１０６は、コイル駆動部１５１と、切替制御部１５２および消磁切替スイッチ１５３を有する。
励磁コイル制御部９１は、中央部温度センサー１０４の検出信号に基づき、定着ローラー１０１が定着温度Ｔ０に維持されるように、ＩＨ電源部１０６のコイル駆動部１５１に対して駆動指示と停止指示を行う。この駆動指示には、励磁コイル１３１への供給電力Ｐの大きさが含まれる。
【００４１】
具体的には、中央部温度センサー１０４による定着ローラー１０１の中央部の検出温度が定着温度Ｔ０よりも低ければ、励磁コイル１３１への供給電力をＰ１とし、定着温度Ｔ０と同じであれば供給電力をＰ２（＜Ｐ１）とし、定着温度Ｔ０よりも高ければ供給電力をＰ３（＜Ｐ２）とする。供給電力Ｐ１の大きさは、定着温度Ｔ０との差分が大きくなるほど大きくなり、Ｐ３の大きさは、定着温度Ｔ０との差分が大きくなるほど小さくなる。Ｐ２は、定着温度Ｔ０を維持するのに必要な熱量に相当する電力値である。ここでは、プリンター１の電源スイッチがオンされている間は、定着ローラー１０１の温度が目標とする温度に維持されるように常時、励磁コイル１３１に電力が可変可能に供給される。
【００４２】
コイル駆動部１５１は、励磁コイル制御部９１から指示された供給電力Ｐが励磁コイル１３１に供給されるように高周波スイッチングにより励磁コイル１３１に駆動電流を流して、励磁コイル１３１から磁束を発生させる。また、停止指示があると、励磁コイル１３１への電力供給を停止（遮断）する。
消磁コイル制御部９２は、端部温度センサー１０５の検出信号に基づき、ＩＨ電源部１０６の切替制御部１５２に対して消磁コイル１３６ａ，１３６ｂの開（開放）と閉（短絡）の切替指示を行う。
【００４３】
切替制御部１５２は、消磁コイル制御部９２からの切替指示に基づき、消磁切替スイッチ１５３を制御する。
消磁切替スイッチ１５３は、消磁コイル１３６の開閉を切り替えるスイッチであり、切替制御部１５２の指示により、消磁コイル１３６が並列接続される回路を断続する。すなわち、消磁切替スイッチ１５３がオンになり閉回路が形成されると、消磁コイル１３６が閉になり（短絡）、消磁作用が働く状態になる。一方、消磁切替スイッチ１５３がオフになり閉回路が切断されると（回路が開いた状態に切り替わると）、消磁コイル１３６が開になり（切断）、消磁作用が働かない状態になるようになっている。
【００４４】
なお、消磁切替スイッチ１５３は、消磁コイル１３６を開閉可能なスイッチであれば特に限定されず、マイクロスイッチなどの機械的なものであっても良いし、トランジスタなどの半導体素子などであっても良い。
切替制御部１５２は、消磁切替スイッチ１５３のオフ（開）からオン（閉）への切替、オンからオフへの切り替えを行うと、切り替えが完了したこと、および開と閉のいずれの状態にあるかを示す切替完了を消磁コイル制御部９２に通知する。
【００４５】
消磁コイル制御部９２は、切替制御部１５２からの切替完了通知により、消磁切替スイッチ１５３による消磁コイル１３６の開から閉への切り替え、閉から開への切り替えが行われたことを知ることができる。以下、消磁コイルの開放をオフ、短絡をオンという。
温度設定テーブル９３は、消磁動作を開始する条件となる定着ローラー端部温度を示す消磁動作温度情報と、消磁動作を停止する条件となる定着ローラー端部温度を示す消磁停止温度情報とが書き込まれてなるテーブルであり、記憶部に格納されている。
【００４６】
図８（ａ）は、消磁動作温度情報設定テーブルの例を示す図であり、図８（ｂ）は、消磁停止温度情報設定テーブルの例を示す図である。
図８（ａ）に示すように、消磁動作温度情報は、用紙幅Ｗに消磁動作温度Ｔｕを対応付けた情報であり、図８（ｂ）に示すように、消磁停止温度情報は、用紙幅Ｗに消磁停止温度Ｔｆを対応付けた情報である。この対応付けを行う理由については、後述する。
【００４７】
図７に戻って、端部温度情報記憶部９４は、ジョブ実行中における定着ローラー端部温度の履歴を端部温度情報として記憶しているものである。ここでは、複数枚の用紙Ｓを連続通紙するジョブ単位で、ジョブ実行中にジョブ開始から１枚の用紙Ｓが定着ニップＮを通過するごとに、その時点で端部温度センサー１０５により検出された定着ローラー端部温度を示す情報が時間順に端部温度情報記憶部９４に記憶されるようになっている。
【００４８】
端部温度情報を参照することにより、ジョブ実行中に当該ジョブ開始からの用紙１枚単位での定着ローラー端部温度の上昇や下降の温度勾配を求めることができる。この端部温度情報は、消磁動作温度Ｔｕと消磁停止温度Ｔｆの補正（後述）に用いられる。
定着制御部５５は、消磁動作を開始する場合、励磁コイル１３１への電力供給を停止してから、消磁切替スイッチ１５３により消磁コイル１３６を開から閉に切り替えた後、励磁コイル１３１への電力供給を再開する制御（第１制御）を実行する。
【００４９】
このように励磁コイル１３１への電力供給の停止、消磁コイル１３６の開から閉への切り替え、励磁コイル１３１への電力供給の再開を順に実行するのは、消磁切替スイッチ１５３の耐久性の低下を防止するためである。すなわち、励磁コイル１３１に電力を供給している状態で、消磁コイル１３６を開から閉にすべく消磁切替スイッチ１５３をオンさせると、そのオンの瞬間に消磁コイル１３６に流れる誘導電流が突入電流となって消磁切替スイッチ１５３の接点に流れることにより電気的負荷がかかり、これが消磁動作の度に繰り返されると、消磁切替スイッチ１５３の接点が疲労して、消磁切替スイッチ１５３の耐久性を低下させることになるからである。
【００５０】
この第１制御を行えば、消磁切替スイッチ１５３の耐久性の低下を防止できるが、その一方で、複数枚の小サイズ紙、例えばＡ４サイズの用紙Ｓを縦通紙により１枚ずつ間隔をあけて定着ニップＮを通過させて熱定着を行う連続通紙のジョブ実行中に、用紙Ｓの搬送タイミングに関係なく第１制御を行うと、用紙Ｓの定着性が低下する場合がある。
すなわち、第１制御では、ジョブ実行中に消磁コイル１３６の開から閉への切り替えのために励磁コイル１３１への電力供給を一旦停止させるので、その一旦停止の間に発熱層１１５が発熱しなくなり、一時的に定着ローラー１０１の温度が定着温度Ｔ０よりも大幅に低下してしまうことが生じる。励磁コイル１３１への電力供給の停止と再開のタイミングと、定着ニップＮを通過する用紙Ｓの搬送タイミングによっては、電力供給の停止により定着ローラー１０１の温度が低下した部分が定着ニップＮに至る時期と、連続通紙される１枚の用紙Ｓが定着ニップＮを通る時期とが一致する場合があり、このようになると、その１枚の用紙Ｓに対しては熱定着に必要な熱量を与えることができず、用紙Ｓ上のトナー像を不十分な熱量でしか定着を行えなくなるからである。
【００５１】
そこで、本実施の形態では、ｎ（１以上の整数）枚目の用紙Ｓの後端が定着ニップＮを通過してから次の（ｎ＋１）枚目の用紙Ｓの先端が定着ニップＮに到達するまでの用紙間隔の時間内に、供給電力の停止により定着ローラー１０１の温度が低下した部分（温度低下領域）が定着ニップ（定着位置）Ｎを通過することになるようなタイミング、すなわち定着ローラー１０１の温度低下領域が定着ニップＮを通過しているときと、複数枚の用紙Ｓが１枚ずつ間隔をおいて定着ニップＮを通過しているときとが重複しない（ずれる）ようになるタイミングで第１制御を行う方法をとっている。
【００５２】
この方法により、定着ローラー１０１の温度低下領域が用紙Ｓに熱定着に用いられることがなくなり、消磁切替スイッチ１５３の耐久性の低下を防止すると共に用紙Ｓに対する定着性の低下を防止することができる。
（５）定着温調の制御方法の説明
図９（ａ）は、本実施の形態における定着温調の制御方法を用いる場合の実施例を示すタイミングチャートであり、図９（ｂ）は、本実施の形態における制御方法を用いない場合の比較例を示すタイミングチャートである。
【００５３】
図９（ａ）と（ｂ）は、複数枚の小サイズ紙を連続通紙するジョブ実行中における定着ローラー１０１のローラー端部温度Ｔｅ、ローラー中央部温度Ｔｃ、加圧ローラー１０２の軸方向中央部温度Ｔｂの推移と、励磁コイル１３１のオン（電力供給）とオフ（電力供給停止）、消磁コイル１３６のオン（閉）とオフ（開）のタイミングを示している。
なお、励磁コイル１３１のオンは、ローラー中央部温度Ｔｃが定着温度Ｔ０に維持されるように供給電力を可変する制御を含むものである。また、同図中の「通紙」とは、１枚の用紙Ｓごとに、その先端が定着ニップＮに到達してからその後端が定着ニップＮを通過するまでの時間ｔｙに相当し、「紙間」とは、用紙間隔、すなわちｎ枚目の用紙Ｓの後端が定着ニップＮを通過してから次の（ｎ＋１）枚目の用紙Ｓの先端が定着ニップＮに到達するまでの時間ｔｘに相当する。従って、紙間は、用紙Ｓが定着ニップＮに存在していない時間、通紙は、用紙Ｓが定着ニップＮを通っている時間ということになる。また、「Ｓ１」〜「Ｓ４」の数値は、連続通紙される各用紙Ｓの搬送順（ｎに相当）を示している。
【００５４】
図９（ａ）に示すように実施例を見ると、複数枚の小サイズ紙の連続通紙により、１枚の用紙Ｓ１の通紙中の時点ｔ０でローラー端部温度Ｔｅが消磁動作開始の条件である消磁動作温度Ｔｕに達するが、励磁コイル１３１はオンのままであり、消磁コイル１３６はオフのままである。なお、消磁動作温度Ｔｕは、温度設定テーブル９３から、使用される用紙幅Ｗに応じて設定された温度を読み出すことにより取得される。
【００５５】
時点ｔ０から、用紙Ｓ１の後端が定着ニップＮを通過する時点ｔ１までの間、ローラー端部温度Ｔｅが消磁動作温度Ｔｕを少し超えるが、時点ｔ１になると、励磁コイル１３１がオンからオフに切り替わる。なお、消磁コイル１３６はオフのままである。
励磁コイル１３１のオフを契機に、これ以降、ローラー端部温度Ｔｅの上昇が下降に転じ、ローラー中央部温度Ｔｃが定着温度Ｔ０からやや減少する。
【００５６】
加圧ローラー１０２の中央部温度Ｔｂは、通紙ｔｙでは、用紙Ｓに熱を奪われることから下降し、紙間ｔｘでは、用紙Ｓに熱を奪われることがなく定着ローラー１０１から定着ニップＮを介して熱が流入してくることから上昇に転じ、この温度の上がり下がりが通紙と紙間とで交互に繰り返される。
励磁コイル１３１のオンからオフへの切り替わり直後の時点ｔ２になると、消磁切替スイッチ１５３の動作により消磁コイル１３６がオフからオンに切り替わる。励磁コイル１３１のオフにより励磁コイル１３１への電力供給が停止されているので、消磁切替スイッチ１５３による切り替えが実行される時点ｔ２では、消磁コイル１３６に誘導電流が流れておらず、切替スイッチ１５３の開閉用の接点に電気的負荷がかかることがない。
【００５７】
切替スイッチ１５３による消磁コイル１３６のオフからオンへの切り替えが終了した後の時点ｔ３になると、励磁コイル１３１がオフからオンに切り替わる。これにより、励磁コイル１３１への電力供給が再開され、ローラー中央部温度Ｔｃの減少が上昇に転じて定着温度Ｔ０に維持される。消磁コイル１３６がオンされたままなので、消磁コイル１３６の消磁作用により、ローラー端部温度Ｔｅは下降し続ける。
【００５８】
この励磁コイル１３１のオフから、消磁コイル１３６のオン、励磁コイル１３１のオンまでの第１制御は、先行する用紙Ｓ１の後端が定着ニップＮを通過する時点ｔ１から次の用紙Ｓ２の先端が定着ニップＮに到達する時点ｔ４までの紙間ｔｘの時間内に行われるが、できるだけ紙間ｔｘの最初（時点ｔ１の直後）に実行されることが望ましい。
この理由を、図１０を用いて説明する。
【００５９】
図１０は、励磁コイル１３１と消磁コイル１３６のオン、オフのタイミングを説明するための模式図であり、図１０（ａ）が上記の時点ｔ０、図１０（ｂ）が時点ｔ１、図１０（ｃ）が時点ｔ２、図１０（ｄ）が時点ｔ３に対応している。
図１０（ａ）に示す定着ローラー１０１の周（回転）方向における領域Ｑは、励磁コイル１３１による定着ローラー１０１の主な発熱領域を示している。この発熱領域Ｑは、定着ローラー１０１（発熱層１１５）の一周のうち、励磁コイル１３１から発せられる磁束により熱定着に最低限必要な熱量以上の熱量を発することができる領域に相当し、位置Ｑ１が当該領域の回転方向下流端、位置Ｑ２が回転方向上流端になる。
【００６０】
従って、定着ローラー１０１の周面のうち、位置Ｑ２から回転方向に定着ニップＮの用紙搬送方向上流端（入口）Ｎｘまでの部分Ｈ（太線で示す部分）が熱定着に必要な熱が蓄積されている（定着温度Ｔ０またはこれに近い温度に維持されている）部分になり、定着ニップＮの用紙搬送方向下流端（出口）Ｎｙから回転方向に位置Ｑ２までの部分は、定着ニップＮにおいて用紙Ｓと加圧ローラー１０２に熱を奪われたために熱量が低下している部分になる。
【００６１】
時点ｔ０は、通紙ｔｘの時間内であり、励磁コイル１３１がオンされている。これにより定着ローラー１０１の発熱領域Ｑで発熱した定着に必要な熱量が蓄積されている周面部分が定着ローラー１０１の回転により定着ニップＮに至り、定着ニップＮを通っている用紙Ｓ１に供給され、用紙Ｓ１に対して熱定着が実行される。
時点ｔ１になると励磁コイル１３１がオンからオフに切り替わる（第１制御の開始）。
【００６２】
この時点ｔ１は、用紙Ｓ１の後端Ｐｘが用紙検出センサー３９の検出位置Ｄｐを通過してから時間ｔａの経過時に相当する。ここで、時間ｔａは、検出位置Ｄｐから定着ニップＮの出口Ｎｙまでの搬送路上の距離を、用紙Ｓの搬送速度（定着ローラー１０１の周速に相当）Ｖで除した時間に相当する。これにより、用紙Ｓ１の後端Ｐｘが定着ニップＮを通過した時点で励磁コイル１３１がオフすることになり、励磁コイル１３１のオフによる非発熱により用紙Ｓ１に対する定着性が低下することがない。
【００６３】
時点ｔ１で紙間ｔｘに入り、時点ｔ１以降の紙間ｔｘの時間内では定着ローラー１０１が発熱されないので定着ローラー１０１の周方向に発熱部分Ｈを除く部分Ｊが温度低下領域（定着温度Ｔ０を中心に上下に所定の範囲内である定着に適した温度域よりも温度が低いために定着を良好に行えない温度領域）になる。
紙間ｔｘの時間内では、定着ニップＮに用紙Ｓが存在せず、紙間ｔｘの時間内における時点ｔ１の直後の時点２で消磁コイル１３６がオフからオンに切り替えられる。
【００６４】
そして、紙間ｔｘの時間内における時点ｔ３になると、励磁コイル１３１がオフからオンに切り替わり、励磁コイル１３１への電力供給が再開され、発熱領域Ｑで発熱が開始される（第１制御の終了）。この時点ｔ３は、次の用紙Ｓ２の先端Ｐｙが用紙検出センサー３９の検出位置Ｄｐに到達した（検出される）時点に相当する。
ここで、検出位置Ｄｐから定着ニップＮの入口Ｎｘまでの搬送路上の距離をＬａ、定着ローラー１０１の周面の位置Ｑ１から回転方向に定着ニップＮの入口Ｎｘまでの周面上の距離をＬｂ、用紙Ｓの搬送速度Ｖが定着ローラー１０１の周速Ｖと同じとしたとき、Ｌａ＞Ｌｂの関係を有する構成になっている。これにより、次の用紙Ｓ２の先端Ｐｙが定着ニップＮに到達する時点（紙間ｔｘの終了）では既に定着ローラー１０１の発熱部分Ｈが定着ニップ（位置）Ｎに至っている状態になり、用紙Ｓ２の定着性が低下することがない。
【００６５】
このように紙間ｔｘの時間内のできるだけ早い時期に第１制御を実行すれば、先行する用紙Ｓ１も、次の用紙Ｓ２に対しても定着性の低下が防止される。
ところが、仮に紙間ｔｘの終了直前、例えば用紙Ｓ２の先端Ｐｙが定着ニップＮの入口Ｎｘに到達する直前に励磁コイル１３１をオンすれば、用紙Ｓ２の先端Ｐｙが定着ニップＮに入ってから、定着ローラー１０１の発熱部分Ｈが遅れて定着ニップＮに到達する事態が生じる場合がある。このようになると、用紙Ｓ２の先端部分に対して定着に必要な熱が付与されずに定着性が低下してしまうおそれがある。
【００６６】
従って、第１制御は、間隔をおいて連続通紙される複数枚の用紙Ｓのその間隔（シート間隔）のタイミングに応じて、定着性が低下することのないように予め適した時間帯（第１の時間内）に実行されるように設定する必要がある。
本実施の形態では、第１制御の開始が時点ｔ１（先行する用紙Ｓの後端Ｐｘが定着ニップＮを通過した時点に相当）、その終了が時点ｔ３（次の用紙Ｓの先端Ｐｙが検出位置Ｄｐに到達した時点）に設定されている。
【００６７】
なお、第１制御の実行タイミングは、上記の紙間の時間内に限られず、励磁コイル１３１への電力供給の停止の間に発熱されなくなる定着ローラー１０１の温度低下領域Ｊが、定着ニップ（位置）Ｎをｎ枚目の用紙Ｓより後かつ（ｎ＋１）枚目の用紙Ｓより前に通過するようになる第１の時間内のタイミング（第１のタイミング）であれば良い。
例えば、時点ｔ１を、用紙Ｓ１の後端Ｐｘが定着ニップＮの入口Ｎｘを通過する時点（上記よりも少し早め）にすることもできる。この場合、紙間ではなく通紙中に励磁コイル１３１がオフされることになるが、用紙Ｓ１の後端Ｐｘが定着ニップＮを通過した後に、温度低下領域Ｊが定着ニップＮに至ることになるので、定着性が低下することはない。従って、紙間に限られることもない。
【００６８】
なお、上記では、定着ローラー１０１のうち、回転方向に熱定着に必要な熱量が蓄積されている部分Ｈを、位置Ｑ２から回転方向に定着ニップの入口Ｎｘまでの領域、温度低下領域Ｊを、定着ニップの出口Ｎｙから回転方向に位置Ｑ２までの領域としたが、これに限られない。例えば、位置Ｑ２から回転方向に位置Ｑ１までの領域は、昇温中であることから、この領域も温度低下領域の一部とみなして、部分Ｈを、位置Ｑ１から回転方向に定着ニップの入口Ｎｘまでの領域、温度低下領域Ｊを、定着ニップの出口Ｎｙから回転方向に位置Ｑ１までの領域とすることもできる。
【００６９】
図９（ａ）に戻って、用紙Ｓ２に対しては、励磁コイル１３１がオン、消磁コイル１３６がオンされた状態が継続されるが、消磁コイル１３６のオンによりローラー端部温度Ｔｅが低下して消磁停止温度Ｔｆに近づいてきている。この消磁停止温度Ｔｆは、温度設定テーブル９３から、使用される用紙幅Ｗに応じて設定された温度を読み出すことにより取得される。
【００７０】
用紙Ｓ３に対する熱定着（通紙ｔｙ）中の時点ｔ１０に、ローラー端部温度Ｔｅが消磁動作の停止の条件である消磁停止温度Ｔｆまで低下しているが、励磁コイル１３１も消磁コイル１３６もオンのままである。用紙Ｓ３の後端Ｐｘが定着ニップＮを通過した時点に相当する時点ｔ１１になると（紙間ｔｘの開始）、励磁コイル１３１がオンからオフに切り替わる。なお、消磁コイル１３６はオフのままである。
【００７１】
励磁コイル１３１のオフを契機にローラー端部温度Ｔｅの下降がさらに進み、ローラー中央部温度Ｔｃが定着温度Ｔ０からやや減少する。
励磁コイル１３１のオンからオフへの切り替わり直後の時点ｔ１２になると、消磁切替スイッチ１５３の動作により消磁コイル１３６がオンからオフに切り替わる。励磁コイル１３１への電力供給が停止されているので、消磁切替スイッチ１５３による切り替えが実行されても、切替スイッチ１５３の接点に電気的負荷がかかることがない。
【００７２】
消磁コイル１３６のオンからオフへの切り替えが終了した後の時点ｔ１３になると、励磁コイル１３１がオフからオンに切り替わる。これにより、励磁コイル１３１への電力供給が再開され、ローラー中央部温度Ｔｃの減少が上昇に転じて定着温度Ｔ０に維持される。消磁コイル１３６がオンからオフに切り替わったので、消磁コイル１３６の消磁作用が働かなくなり、ローラー端部温度Ｔｅは、時点ｔ１３以降には下降から上昇に転じる。
【００７３】
この励磁コイル１３１をオフしてから、消磁コイル１３６をオンからオフに切り替えた後、励磁コイル１３１をオンする制御（第２制御）は、上記の第１制御と同様の理由により、できるだけ紙間ｔｘの最初（時点ｔ１１の直後）に実行される。
なお、第２制御の実行タイミングは、これに限られず、上記の第１制御と同様に、第２制御により励磁コイル１３１への電力供給の停止の間に発熱されなくなる定着ローラー１０１の温度低下領域Ｊが、定着ニップ（位置）Ｎをｍ枚目の用紙Ｓより後かつ（ｍ＋１）枚目の用紙Ｓより前に通過するようになる第２の時間内のタイミング（第２のタイミング）であれば良い。なお、ｍは、ｎよりも大きい正の整数である。
【００７４】
次の用紙Ｓ４に対しては、励磁コイル１３１がオン、消磁コイル１３６がオフされた状態が継続されるが、消磁コイル１３６のオフによりローラー端部温度Ｔｅが上昇して消磁動作温度Ｔｕに近づいてきている。ローラー端部温度Ｔｅが消磁動作温度Ｔｕに達すると、用紙Ｓ１のときと同様に、これ以降、第１制御が第１のタイミングで実行され、その後、消磁コイル１３６のオンによりローラー端部温度Ｔｅが下降して消磁停止温度Ｔｆに達すると、第２制御が第２のタイミングで実行されることが繰り返される。
【００７５】
これに対して、図９（ｂ）に示す比較例では、定着ローラー１０１のローラー端部温度Ｔｅが消磁動作温度Ｔｕに達すると（時点ｔ０）、用紙Ｓ１の通紙中に励磁コイル１３１がオンからオフに切り替わって、その直後の時点ｔ２１に消磁コイル１３６がオフからオンに切り替わる。励磁コイル１３１への電力供給が停止した状態で消磁コイル１３６がオンされるので、切替スイッチ１５３に、励磁コイル１３１の誘導電流による電気的負荷がかかることはないが、通紙中に励磁コイル１３１をオフするので、次にオンするまでの間、通紙中であるにも関わらず定着ローラー１０１に温度低下領域Ｊが生じてしまう。
【００７６】
定着ローラー１０１の温度低下領域Ｊは、定着に必要な熱量が蓄積されていないローラー部分に相当するので、温度低下領域Ｊが定着ニップＮに至ったときに同時に定着ニップＮに存在していた用紙Ｓ１の部分に対しては必要な熱量を付与できずに定着性が低下しているおそれがあり、良好な定着を行えないことになる。このことは、定着ローラー１０１のローラー中央部温度Ｔｃの低下が、通紙中の時点ｔ０直後に大きく、例えば８〜１０〔℃〕程度、低下していることから判る。この温度低下により、定着性が例えば１０〔％〕以上、低下していることが実験から確認されている。
【００７７】
用紙Ｓ２の次の用紙Ｓ３に対しては、定着ローラー１０１のローラー端部温度Ｔｅが消磁停止温度Ｔｆに達した時点ｔ１０が偶然に紙間であったことから、通紙中の温度低下は生じていないが、用紙４に対しては、用紙Ｓ１と同様に、通紙中の時点ｔ２０に励磁コイル１３１がオフされることから同様の温度低下が生じて、定着性の低下が生じ易くなる。
なお、図９（ａ）に示す実施例による制御方法では、定着ローラー１０１のローラー端部温度Ｔｅが消磁動作温度Ｔｕを少し超え（オーバーシュート）、消磁停止温度Ｔｆを少し下回る（アンダーシュート）ことになるが、これを見越して予め、オーバーシュートとアンダーシュートしたときの温度をローラー端部温度Ｔｅの上限温度と下限温度に設定しておくことにより、温度変化が上限から下限までの温度域内に収まるように制御することが可能になる。
【００７８】
（６）温度設定テーブルの内容
図８（ａ）に示すように消磁動作温度情報は、異なる用紙幅Ｗに対して異なる消磁動作温度Ｔｕを対応付けた情報であり、例えば１９０≦用紙幅Ｗ＜２１５〔ｍｍ〕の範囲に対して２４０〔℃〕が対応し、２４０≦用紙幅Ｗ＜２６５〔ｍｍ〕の範囲に対して２３０〔℃〕が対応している。ここで、１９０≦用紙幅Ｗ＜２１５〔ｍｍ〕の範囲には、Ａ４サイズの用紙（Ａ４用紙）を縦通紙する場合が含まれ、２４０≦用紙幅Ｗ＜２６５〔ｍｍ〕の範囲には、Ｂ４サイズの用紙（Ｂ４用紙）を縦通紙する場合が含まれる。
【００７９】
このように用紙幅Ｗが広くなるに伴って低い消磁動作温度Ｔｕを設定しているのは、消磁コイル１３６と用紙Ｓと端部温度センサー１０５との、定着ローラー１０１の軸方向における位置関係によるものである。このことを、図１１を用いて説明する。
図１１（ａ）は、Ａ４サイズの用紙（Ａ４用紙）を縦通紙する場合の定着ローラー１０１の軸方向における表面温度の分布を示す図であり、図１１（ｂ）は、Ｂ４サイズの用紙（Ｂ４用紙）を縦通紙する場合の定着ローラー１０１の表面温度の分布を示す図である。
【００８０】
なお、図１１（ａ）と（ｂ）に示す位置Ｄｗは、定着ローラー１０１の端部温度センサー１０５の検出位置に相当し、搬送路３２の中央ＣＬから１４０〔ｍｍ〕の位置にある場合の構成例を示しており、この位置の温度がローラー端部温度Ｔｅとして検出される。
図１１（ａ）に示すようにＡ４用紙は、その用紙幅Ａ４Ｔが２１０〔ｍｍ〕になり、その幅方向両側の側縁（長辺）が搬送路３２の中央ＣＬを挟んで１０５〔ｍｍ〕の位置を通過するように搬送される。
【００８１】
消磁コイル１３６ａ、１３６ｂは、搬送路３２の両端側に配置されており、消磁作用が働いているときは、破線で示すように用紙幅Ａ４Ｔの領域（通紙領域）内の温度が定着温度である１８０〔℃〕近辺に維持されつつ、用紙幅Ａ４Ｔを挟んで両外側の領域（非通紙領域）の温度も定着温度の近辺または定着温度より低い温度に抑制されている。
一方、消磁作用が働いていないときには、実線で示すように非通紙領域の温度が全体的に定着温度よりも高くなり、そのピークが２４０〔℃〕近辺まで上昇している。このピークの軸方向における位置は、端部温度センサー１０５の検出位置Ｄｗに略一定しているので、Ａ４用紙の場合、そのピーク値を検出することができる。
【００８２】
これに対して、Ｂ４用紙の場合、図１１（ｂ）に示すように消磁作用の有無に関わらず、用紙幅Ｂ４Ｔの領域（通紙領域）内の温度が定着温度である１８０〔℃〕近辺に維持されており、非通紙領域の温度は、全体的に定着温度よりも高くなり、消磁作用が働いていない場合（実線）では、ピークが２４０〔℃〕まで上昇し、消磁作用が働いている場合（破線）では、ピークが２３０〔℃〕まで上昇している。
【００８３】
ところが、Ｂ４用紙を用いる場合、ピークの軸方向の位置は、端部温度センサー１０５の検出位置Ｄｗよりも外側になり、検出位置Ｄｗではピーク値を直接、検出することができない。従って、ピーク値になったときに検出位置Ｄｗでは何度になるかを予め求めておく、例えば同図では消磁作用が働いていない場合（実線）に２３０〔℃〕、消磁作用が働いている場合（破線）に２２０〔℃〕を求めておくことにより、端部温度センサー１０５により消磁作用が働いていないときに２３０〔℃〕に達したことが検出されると、ピークの位置では２４０〔℃〕に達しており、消磁作用が働いているときに２２０〔℃〕に達したことが検出されると、ピークの位置では２３０〔℃〕に達していることが判る。
【００８４】
すなわち、消磁動作温度Ｔｕについては、図８（ａ）に示すようにＡ４用紙では２４０〔℃〕に、Ｂ４用紙では２３０〔℃〕にそれぞれ予め設定しておけば、異なるサイズの用紙に対して、それぞれ異なる位置の温度がピーク値に達したことを、消磁作用を働かせる条件を満たしたとして判断することが可能になる。
また、消磁停止温度Ｔｆについては、図８（ｂ）に示すように、Ａ４用紙では１８０〔℃〕に、Ｂ４用紙では２２０〔℃〕にそれぞれ予め設定しておけば、異なるサイズの用紙に対して、それぞれ消磁作用を停止させる条件を満たしたことを判断することが可能になる。これらのことは、他のサイズについても同様である。
【００８５】
なお、図８において、２６５〔ｍｍ〕≦用紙幅Ｗを満たす用紙Ｓは、Ａ３などの大サイズの用紙であり、定着ローラー１０１の軸方向に沿って通紙領域が幅広になる分、非通紙領域が狭くなるので、消磁動作温度Ｔｕが小さく、これに合わせて消磁停止温度Ｔｆも小さい値に設定されている。
また、用紙幅Ｗ＜１９０〔ｍｍ〕を満たす用紙Ｓは、極端に小さいサイズであることから、常時、消磁作用を働かせるべく、消磁動作温度Ｔｕが最小の１００〔℃〕に設定されている。なお、消磁作用が常時、働くことから消磁停止温度Ｔｆは未設定になっている。
【００８６】
スタンバイ中は、ジョブ実行を待っている待機中に定着温度Ｔ０よりも低いスタンバイ温度、例えば１６０〔℃〕に維持する制御が実行されるが、大量のジョブ実行の終了直後に、スタンバイ中になっても定着ローラー１０１の温度があまり下がっておらず、ある程度高い温度になったままのような場合を考慮して、消磁動作温度Ｔｕと消磁停止温度Ｔｆがそれぞれ設定されている。
【００８７】
（７）定着温調制御の処理内容
図１２は、定着温調制御の処理内容を示すフローチャートであり、当該処理は、定着制御部５５により実行される。
同図に示すようにプリンター１の電源スイッチがオンされると（ステップＳ１）、励磁コイル１３１への電力供給を開始させる（ステップＳ２）。これにより、定着部４０の定着ローラー１０１の発熱が開始され、定着部４０のウォームアップが開始される。
【００８８】
ウォームアップが終了したか否かを判断する（ステップＳ３）。ウォームアップは、定着ローラー１０１の表面温度が定着温度Ｔ０まで昇温すると終了する。
ウォームアップの終了を判断すると（ステップＳ３で「ＹＥＳ」）、スタンバイ温調制御に移る（ステップＳ４）。スタンバイ温調制御は、定着ローラー１０１の表面温度が定着温度Ｔ０よりも少し低いスタンバイ温度、例えば１６０〔℃〕に維持する制御である。
【００８９】
スタンバイ温調制御において現時点での消磁コイル１３６がオフ状態になっているか否かを判断する。消磁コイル１３６がオンとオフのいずれの状態になっているかの判断は、定着制御部５５がＩＨ電源部１０６の切替制御部１５２からの切替完了通知を受け付けることにより行われる。
消磁コイル１３６がオフ状態であることを判断すると（ステップＳ５で「ＹＥＳ」）、切替制御１を実行して（ステップＳ６）、ステップＳ８に移る。一方、消磁コイル１３６がオン状態であることを判断すると（ステップＳ５で「ＮＯ」）、切替制御２を実行して（ステップＳ７）、ステップＳ８に移る。切替制御１は、消磁コイル１３６のオフからオンへの切り替えを含む制御であり、切替制御２は、消磁コイル１３６のオンからオフへの切り替えを含む制御であるが、これらの詳細については、後述する。
【００９０】
ステップＳ８では、プリントジョブが実行されているか否かを判断する。
プリントジョブが実行されていないときには（ステップＳ８で「ＮＯ」）、ステップＳ４に戻り、スタンバイ温調制御を実行する。
プリントジョブが実行されているときには（ステップＳ８で「ＹＥＳ」）、プリント温調制御を実行する（ステップＳ９）。プリント温調制御は、中央部温度センサー１０４の検出結果に基づき定着ローラー中央温度を定着温度Ｔ０に維持する制御である。
【００９１】
そして、ジョブ実行中に用紙１枚単位で端部温度センサー１０５により検出された定着ローラー端部温度を端部温度情報記憶部９４に記憶して（ステップＳ１０）、ステップＳ５に戻る。ジョブ実行中であれば、ステップＳ５〜Ｓ１０の処理が繰り返し実行される。
従って、ジョブ実行中にも、スタンバイ中と同様に切替制御１と２のいずれかが実行されることになる。また、複数枚の用紙Ｓを１枚ずつ連続通紙するジョブ実行中であれば、ステップＳ１０において１枚の用紙Ｓごとに、その用紙Ｓが定着ニップＮを抜けるときに検出された定着ローラー端部温度の履歴が端部温度情報として蓄積される。この定着ローラー端部温度の履歴は、切替制御１と２で用いられる。
【００９２】
（８）切替制御１の処理内容
図１３は、切替制御１のサブルーチンの内容を示すフローチャートである。
同図に示すように使用されている用紙Ｓの用紙サイズを取得する（ステップＳ６１）。
用紙サイズの取得は、操作部６０からユーザーによる入力されたサイズ情報を取得することにより行われる。なお、ユーザーによる入力に限られず、例えば用紙サイズを検知するセンサーからその検知結果を用紙サイズとして取得する構成をとるようにしても良い。
【００９３】
取得した用紙サイズに対応する消磁動作温度Ｔｕを温度設定テーブル９３から読み出す（ステップＳ６２）。例えば、Ａ４サイズの用紙の場合、用紙幅Ｗが２１０〔ｍｍ〕になるので、図８（ａ）の消磁動作温度設定テーブルの例の場合、消磁動作温度Ｔｕとして２４０〔℃〕が読み出される。事前に用紙サイズと用紙幅の対応をとっておくことにより、用紙サイズから消磁動作温度Ｔｕを読み出すことができる。
【００９４】
なお、温度設定テーブル９３を、用紙幅Ｗではなく、用紙サイズと消磁動作温度Ｔｕを対応付けた構成にすれば、取得した用紙サイズに対応する消磁動作温度Ｔｕを直接、読み出すこともできる。また、用紙サイズに限られない。定着すべき用紙Ｓごとに、異なる用紙幅Ｗ（用紙幅方向長さ）に関する情報と消磁動作温度Ｔｕとが対応付けされた温度情報が記憶されていればよい。例えば、用紙サイズに代えて用紙幅Ｗそのものを検出するセンサーなどを備え、検出された用紙幅に対応する消磁動作温度Ｔｕを用いる構成をとることもできる。このことは、後述の消磁停止温度Ｔｆについて同様である。
【００９５】
そして、端部温度情報記憶部９４に記憶されている端部温度情報に基づき、読み出した消磁動作温度Ｔｕを補正する（ステップＳ６３）。
この補正方法を、図１４を用いて説明する。
図１４は、ジョブ実行中に上昇するローラー端部温度Ｔｅの推移の様子を例示するタイミングチャートである。同図では、同じジョブ実行中に（ｎ−１）枚目の用紙Ｓ、ｎ枚目の用紙Ｓ、（ｎ＋１）枚目の用紙Ｓがこの順に間隔をおいて定着ニップＮを通過して、ｎ枚目の用紙Ｓの後端が定着ニップＮを抜ける時点ｔｐを現在として、先行の（ｎ−１）枚目の用紙Ｓが定着ニップＮを抜ける過去の時点をｔｑ、次に定着ニップＮに至る予定の（ｎ＋１）枚目の用紙Ｓが定着ニップＮを抜ける未来の時点をｔｒとしている。
【００９６】
ローラー端部温度Ｔｅは、時点ｔｑで２２５〔℃〕、時点ｔｐ（現在）で２３５〔℃〕になっており、１枚の用紙Ｓごとに温度が１０〔℃〕、上昇している状態で、現在以降も同じ温度上昇率であれば、破線のグラフで示されるように時点ｔｒになると、２４５〔℃〕に至ることが予想される。仮に現時点（ｔｐ）で、ローラー端部温度Ｔｅが消磁動作温度Ｔｕを超えていれば、（ｎ＋１）枚目の用紙が定着ニップＮに至るまでの第１の時間内に消磁コイル１３６がオフからオンに切り替わるはずである。
【００９７】
ところが、同図では、現在のローラー端部温度Ｔｅが２３５〔℃〕であり、消磁動作温度Ｔｕ（＝２４０〔℃〕）よりも低く、直後の紙間の時間内にローラー端部温度Ｔｅが消磁動作温度Ｔｕを超えない例になっている。これでは、消磁コイル１３６がオンにならず、破線のグラフで示すようにローラー端部温度Ｔｅが上昇し続けることになり、（ｎ＋１）枚目の用紙Ｓが定着ニップＮを通っているときには、時間ｔｚの間に、ローラー端部温度が２４０〔℃〕よりも高い２４５〔℃〕以上の過昇温の域に入るおそれが生じる。
【００９８】
そこで、本実施の形態では、現在のｎ枚目の用紙Ｓが定着ニップＮを抜けるときのローラー端部温度Ｔｅ１（同図では２３５〔℃〕）と、過去の（ｎ−１）枚目の用紙Ｓが定着ニップＮを抜けたときのローラー端部温度Ｔｅ２（同図では２２５〔℃〕）との差分ΔＴ、ここでは（Ｔｅ１−Ｔｅ２）を求め、これを定着ローラー端部温度の温度変化量ΔＴとして、この温度変化量ΔＴだけ消磁動作温度Ｔｕを低くする補正をかける制御を行っている。上記の例では、消磁動作温度Ｔｕが２４０〔℃〕、温度変化量ΔＴが＋１０〔℃〕になるので、消磁動作温度Ｔｕを２３０〔℃〕に補正する。以下、補正後の消磁動作温度をＴｕａという。
【００９９】
このような補正を行えば、現在、ローラー端部温度Ｔｅ１（＝２３５〔℃〕）が本来の消磁動作温度Ｔｕ（＝２４０〔℃〕）に達していなくても、補正後の消磁動作温度Ｔｕａ（＝２３０〔℃〕）を超えていることにより、消磁作用を開始する条件が満たされて、第１の時間内に消磁コイル１３６がオンされる。これ以降、消磁作用の働きにより、ローラー端部温度Ｔｅが上昇から下降に転じるようになる（一点鎖線のグラフ）。
【０１００】
この補正は、１枚の用紙Ｓごとに行われるが、例えば（ｎ−１）枚目の用紙Ｓに対しては、温度変化量ΔＴが上記と同じ（＋１０）〔℃〕であれば、補正後の消磁動作温度Ｔｕａが２３０〔℃〕になるが、時点ｔｑでは、ローラー端部温度Ｔｅが２２５〔℃〕になっており、補正後の消磁動作温度Ｔｕａよりも低いことから、消磁作用を開始する条件が満たされず、消磁コイル１３６がオンされることはない。
【０１０１】
消磁動作温度Ｔｕの補正は、この補正を行わなければ、温度変化量が例えば＋１〔℃〕など極めて小さい場合であっても、温度変化量（温度上昇率）が大きく、次の（ｎ＋１）枚目の用紙Ｓの熱定着中にローラー端部温度Ｔｅが消磁動作温度Ｔｕを超えて過昇温の域に入ってしまうような場合に特に効果が発揮される。
なお、上記では、消磁動作温度Ｔｕを温度変化量Δだけ低くする補正を行うとしたが、これに限られず、温度上昇率に基づき下げる方向に補正をかける構成をとれば、補正を行わない構成よりも消磁作用の働きを早めることができる。
【０１０２】
また、現時点ｔｐでのローラー端部温度Ｔｅ１の取得は、端部温度センサー１０５の検出値を受信することにより行われ、過去の時点ｔｑでのローラー端部温度Ｔｅ２の取得は、端部温度情報記憶部９４に記憶されている端部温度情報のうち、時点ｔｑでの端部温度情報が読み出されることにより行われる。
なお、図９では、第１制御が消磁動作温度Ｔｕに基づいて実行されることを解り易くするため、補正前の消磁動作温度Ｔｕを用いた場合の例を説明したが、本実施の形態では、補正後の消磁動作温度に基づき第１制御が実行される。このことは、後述の消磁停止温度Ｔｆについても同様であり、補正後の消磁停止温度に基づいて第２制御が実行される。
【０１０３】
図１３に戻って、ステップＳ６４では、現時点ｔｐでのローラー端部温度Ｔｅ１が補正後の消磁動作温度Ｔｕａ以上であるか否かを判断する。
Ｔｅ１≧Ｔｕａであれば（ステップＳ６４で「ＹＥＳ」）、現在が第１の時間内またはスタンバイ中であるか否かを判断する（ステップＳ６５）。現在が第１の時間内またはスタンバイ中であれば（ステップＳ６５で「ＹＥＳ」）、消磁作用を働かせる条件が満たされたとして、第１の時間内の第１のタイミングで第１制御を実行、すなわち励磁コイル１３１への電力供給を停止してから（ステップＳ６６）、消磁コイル１３６をオフからオンに切り替えた後（ステップＳ６７）、励磁コイル１３１への電力供給を再開して（ステップＳ６８）、リターンする。
【０１０４】
一方、Ｔｅ１＜Ｔｕａの場合（ステップＳ６４で「ＮＯ」）、または現在が第１の時間内に属さず、スタンバイ中でもない場合（ステップＳ６５で「ＮＯ」）、消磁作用を働かせる条件が満たされないとして、リターンする。この場合、第１制御は実行されず、消磁コイル１３６はオフされたままになる。
なお、現在が第１の時間内に属さず、スタンバイ中でもない場合とは、ジョブ実行中で消磁コイル１３６がオフされている時間帯のうち、第１の時間以外の時間、主に用紙Ｓが定着ニップＮを通過している時間帯に現在が属している場合である。
【０１０５】
（９）切替制御２の処理内容
図１５は、切替制御２のサブルーチンの内容を示すフローチャートである。
同図に示すように使用されている用紙Ｓの用紙サイズを取得する（ステップＳ７１）。
そして、取得した用紙サイズに対応する消磁停止温度Ｔｆを温度設定テーブル９３から読み出す（ステップＳ７２）。例えば、図８（ｂ）の消磁停止温度設定テーブルの例の場合、Ｂ４サイズの用紙に対して消磁停止温度Ｔｆとして２２０〔℃〕が読み出される。
【０１０６】
そして、端部温度情報記憶部９４に記憶されている端部温度情報に基づき、読み出した消磁停止温度Ｔｆを補正する（ステップＳ７３）。
この消磁停止温度Ｔｆの補正は、消磁動作温度Ｔｕの補正と同様の考えによるものである。すなわち、ジョブ実行中に消磁作用により下降するローラー端部温度Ｔｅの下がりすぎを防止するために、消磁停止温度Ｔｆに対し、その温度低下率に基づき上げる方向に補正をかけて、補正をしない場合よりも消磁作用の停止時期を早めようとするものである。
【０１０７】
具体的には、現在のｎ枚目の用紙Ｓが定着ニップＮを抜けるときのローラー端部温度Ｔｅ１と、過去の（ｎ−１）枚目の用紙Ｓが定着ニップＮを抜けたときのローラー端部温度Ｔｅ２との差分である温度変化量ΔＴ（＝Ｔｅ１−Ｔｅ２）を求める。切替制御２の実行中では、消磁作用により温度が下降しているはずなので、温度変化量ΔＴは負になる。
この温度変化量ΔＴの絶対値の分だけ、消磁停止温度Ｔｆを高くする補正、例えば消磁停止温度Ｔｆが２２０〔℃〕、温度変化量ΔＴが−５〔℃〕であれば、消磁停止温度Ｔｆを２２５〔℃〕に補正する。以下、補正後の消磁停止温度をＴｆａという。
【０１０８】
この補正を行えば、現在、ローラー端部温度Ｔｅ１が例えば２２３〔℃〕であり、本来の消磁停止温度Ｔｆ、例えば２２０〔℃〕まで下降していなくても、補正後の消磁停止温度Ｔｆａ、例えば２２５〔℃〕よりも下回っていることにより、消磁作用を停止する条件が満たされて、第２の時間内に消磁コイル１３６がオフされる。
これ以降、消磁作用の停止により、ローラー端部温度Ｔｅが下降から上昇に転じるようになり、（ｎ＋１）枚目の用紙Ｓが定着ニップＮを通過するときにローラー端部温度Ｔｅが下がりすぎることが防止される。
【０１０９】
このローラー端部温度Ｔｅの下がり過ぎの防止は、特にＢ４サイズなどの中間サイズの用紙Ｓに対して効果がある。すなわち、図５に示すようにＢ４サイズの用紙Ｓを縦通紙する場合、通紙領域Ｂ４Ｔの両端側の一部が消磁コイル１３６ａ，１３６ｂの消磁領域に重なる位置関係になる。このため、図１１（ｂ）に示すグラフのようにＢ４縦通紙の場合、消磁作用が働いているときに通紙領域Ｂ４Ｔの両端部の温度低下が大きくなる傾向が強くなる（グラフの部分Ｕ）。
【０１１０】
ローラー端部温度Ｔｅが下がるほど、これに伴って通紙領域Ｂ４Ｔの両端部の温度も下がり、通紙領域Ｂ４Ｔの両端部の温度が定着に必要な温度域よりも低下すると、Ｂ４サイズの用紙Ｓの幅方向両端部における定着性が低下するおそれが生じるからである。
従って、消磁停止温度Ｔｆの補正により、通紙領域Ｂ４Ｔの両端部の温度が定着に必要な温度域よりも低くなる前に消磁作用を停止して、その温度を下降から上昇に転じさせるようにすることで、必要な定着性を確保することができるようなる。
【０１１１】
図１５に戻り、ステップＳ７４では、現時点ｔｐでのローラー端部温度Ｔｅ１が補正後の消磁停止温度Ｔｆａ以下であるか否かを判断する。
Ｔｅ１≦Ｔｆａであれば（ステップＳ７４で「ＹＥＳ」）、現在が第２の時間内またはスタンバイ中であるか否かを判断する（ステップＳ７５）。現在が第２の時間内またはスタンバイ中であれば（ステップＳ７５で「ＹＥＳ」）、消磁作用を停止させる条件が満たされたとして、第２の時間内の第２のタイミングで第２制御を実行、すなわち励磁コイル１３１への電力供給を停止してから（ステップＳ７６）、消磁コイル１３６をオンからオフに切り替えた後（ステップＳ７７）、励磁コイル１３１への電力供給を再開して（ステップＳ７８）、リターンする。
【０１１２】
Ｔｅ１＞Ｔｆａの場合（ステップＳ７４で「ＮＯ」）、または現在が第２の時間内に属さず、スタンバイ中でもない場合（ステップＳ７５で「ＮＯ」）、消磁作用を停止させる条件が満たされないとして、リターンする。この場合、第２制御は実行されず、消磁コイル１３６はオンされたままになる。
なお、現在が第２の時間内に属さず、スタンバイ中でもない場合とは、ジョブ実行中で消磁コイル１３６がオンされている時間帯のうち、第２の時間以外の時間、主に用紙Ｓが定着ニップＮを通過している時間帯に現在が属している場合である。
【０１１３】
以上、説明したように本実施の形態では、ジョブ実行中の用紙間隔（紙間）の時間における第１と第２のタイミングで、励磁コイル１３１への電力供給を停止した状態で消磁コイル１３６のオンとオフを行うので、用紙Ｓの定着性の低下を防止し、かつ、励磁コイル１３１への電力供給を行っている状態で行う構成に比べて、消磁切替スイッチ１５３への電気的負荷が低減され、消磁切替スイッチ１５３の耐久性を向上することができる。
【０１１４】
消磁切替スイッチ１５３の耐久性の向上により、低コストの消磁切替スイッチ１５３を用いることができるようになったり、交換頻度が大幅に少なくなって交換作業にかかる時間とコストを大きく低減したりすることができるという効果を得ることができる。
本発明は、定着装置および画像形成装置に限られず、例えば定着温調制御方法であるとしてもよい。また、その方法をコンピュータが実行するプログラムであるとしてもよい。
【０１１５】
＜変形例＞
以上、本発明を実施の形態に基づいて説明してきたが、本発明は、上述の実施の形態に限定されないのは勿論であり、以下のような変形例が考えられる。
（１）上記実施の形態では、励磁コイル１３１への電力供給を停止した状態で消磁切替スイッチ１５３をオン、オフするとしたが、これに限られない。消磁切替スイッチ１５３に瞬時に大きな突入電流が流れることによる電気的負荷を低減することができれば良い。
【０１１６】
例えば、励磁コイル１３１への電力供給の停止に代えて、熱定着時よりも供給電力を少なくした状態で消磁切替スイッチ１５３をオン、オフする構成をとることもできる。熱定着時と同等の電力を供給している場合よりも消磁切替スイッチ１５３に対する電気的負荷を、ある程度は低減することができる。具体的には、励磁コイル１３１に対し、熱定着時の電力よりも極端に少ない微小電力を供給している状態で消磁切替スイッチ１５３をオン、オフする制御が考えられる。突入電流の電流量の低減を図ることができる。
【０１１７】
励磁コイル１３１への電力供給を熱定着時よりも低減する構成として、予め、励磁コイル１３１への電力供給を完全に停止する第１の構成と、停止するのではなく少ない電力だけを供給する第２の構成のうち、電気的負荷による消磁切替スイッチ１５３の耐久性の低下の程度に基づいて装置構成に適した方を採用することができる。
（２）上記実施の形態では、消磁動作温度Ｔｕと消磁停止温度Ｔｆをそれぞれ温度変化量Δに応じて補正する構成例を説明したが、補正を行う構成に限定されることはない。この補正を行わなくても、定着ローラー１０１のローラー端部温度Ｔｅが上がり過ぎる、または下がり過ぎるといったことがほとんど生じない、または生じたとしても定着性等の画質劣化まで至ることがないような場合には、補正を行わない構成をとるとしても良い。
【０１１８】
（３）上記実施の形態では、複数枚の用紙Ｓが１枚ずつ間隔をおいて定着ニップＮを通過する連続通紙のジョブ実行において、その用紙間隔が不変（一定）であることを前提に説明したが、これに限らない。
例えば、単位時間当たりのプリント枚数が多い高速のプリンター１であれば、用紙間隔が極めて狭くなっていることが多く、その狭小の用紙間隔内に、消磁コイル１３６のオン、オフの切り替えを含む第１制御、第２制御を実行することが困難であれば、その制御を実行するのに必要な時間だけ一時的に用紙間隔を広くする構成をとることもできる。なお、用紙間隔を可変する場合、給紙カセット３１から複数枚の用紙Ｓを１枚ずつ給送するときの給送タイミングと、画像プロセス部１０における各用紙に対するトナー像の作像タイミングがその用紙間隔の大きさに応じて可変される。
【０１１９】
（４）上記実施の形態では、定着ローラー１０１を、ローラー本体１１０の外周にスリーブ１１３が嵌め込まれつつ、ローラー本体１１０とスリーブ１１３が接着剤などにより接着される構成のものを用いたが、これに限られない。例えば、接着せずに、熱膨張によりスリーブ１１３がローラー本体１１０に密着する構成のものを用いることもできる。また、回転体であればローラー状に限られず、例えばベルト状のものであっても良い。このことは、加圧ローラー１０２について同様であり、また、定着回転体との間で定着ニップＮを確保できる加圧部材であれば、回転体に限られず、例えば回転しない加圧パッドなどを用いることもできる。
【０１２０】
（５）上記実施の形態では、本発明に係る定着装置および画像形成装置をタンデム型カラープリンターに適用した場合の例を説明したが、これに限られない。
電磁誘導発熱層を有する定着ローラーなどの定着回転体を定着位置で、加圧ローラーなどの加圧部材で圧接して定着ニップを確保すると共に、定着回転体の周面から所定距離だけ離れた位置にその軸方向に沿って延設された励磁コイルを配置しつつ、励磁コイルの延設方向端部に存するコイル部分に消磁コイルが臨設された構成の電磁誘導加熱方式の定着装置、およびこれを備える画像形成装置であれば、例えば複写機、ファクシミリ装置、複合機（Multiple Function Peripheral）等に適用できる。
【０１２１】
さらに、上記ではセンター基準の搬送方式の構成例を説明したが、これに限られない。例えば、シートの搬送路幅方向一端側の辺が搬送路の一方端側に設けられた基準位置に沿うようにシートを搬送する、いわゆる片側基準の搬送方式にも適用できる。この場合、例えば消磁コイルは、定着回転体の軸方向に基準位置の反対側の一方端にだけ配することができる。使用される用紙Ｓのサイズも上記のものに限られることはなく、さらに温度、時間、部材の材料なども上記のものに限られることもない。
【０１２２】
また、上記実施の形態及び上記変形例の内容をそれぞれ組み合わせるとしても良い。
【産業上の利用可能性】
【０１２３】
本発明は、電磁誘導加熱方式の定着装置に適用することができる。
【符号の説明】
【０１２４】
１      プリンター
４０      定着部
５５      定着制御部
９１      励磁コイル制御部
９２      消磁コイル制御部
９３      温度設定テーブル
１０１      定着ローラー
１０２      加圧ローラー
１０３      磁束発生部
１０４      中央部温度センサー
１０５      端部温度センサー
１０６      ＩＨ電源部
１１５      電磁誘導発熱層
１３１      励磁コイル
１３６      消磁コイル
１５３      消磁切替スイッチ
Ｊ      定着ローラーの温度低下領域
Ｎ      定着ニップ（定着位置）
Ｔｕ    消磁動作温度
Ｔｕａ  補正後の消磁動作温度
Ｔｆ    消磁停止温度
Ｔｆａ  補正後の消磁停止温度
【図１】
0005891938.tif 000002
【図２】
0005891938.tif 000003
【図３】
0005891938.tif 000004
【図４】
0005891938.tif 000005
【図５】
0005891938.tif 000006
【図６】
0005891938.tif 000007
【図７】
0005891938.tif 000008
【図８】
0005891938.tif 000009
【図９】
0005891938.tif 000010
【図１０】
0005891938.tif 000011
【図１１】
0005891938.tif 000012
【図１２】
0005891938.tif 000013
【図１３】
0005891938.tif 000014
【図１４】
0005891938.tif 000015
【図１５】
0005891938.tif 000016